(57)【要約】  専用の操作ボタンを設ける必要がなく、使用者がご飯を茶碗に盛り付けながら摂取するご飯のエネルギー量（カロリー）を認知することのできる炊飯器を提供する。  調理物４２が入れられる内鍋４０と、上面が開口され内鍋４０が着脱自在に収容される内鍋収容部５、内鍋４０の加熱手段６、加熱手段６を制御する制御部１６及び表示部２５を有する炊飯器本体１と、炊飯器本体１の開口部を開閉する蓋体３０とを備え、炊飯器本体１に内鍋４０の重量を検知する重量検知手段１０を設け、この重量検知手段１０により内鍋４０の重量変化を検出し、制御部１６により重量変化に対応したエネルギー量を演算し、演算結果を摂取カロリー量として自動的に報知する。
2012150648.tif 000002
【特許請求の範囲】
【請求項１】
調理物が入れられる内鍋と、上面が開口され前記内鍋が着脱自在に収容される内鍋収容部、前記内鍋の加熱手段、該加熱手段を制御する制御部及び表示部を有する炊飯器本体と、該炊飯器本体の開口部を開閉する蓋体とを備え、
前記炊飯器本体に前記内鍋の重量を検知する重量検知手段を設け、該重量検知手段により前記内鍋の重量変化を検出し、前記制御部により前記重量変化に対応したエネルギー量を演算し、演算結果を摂取カロリー量として自動的に報知する炊飯器。
【請求項２】
前記重量検知手段により、炊飯後の調理物を有する前記内鍋の総重量Ｗ０を検知し、また前記内鍋から調理物が取り出されたあとの内鍋の重量Ｗ１を検知し、Ｗ０−Ｗ１によって求められる重量変化量に単位重量当りのエネルギー量を乗じてその結果を摂取カロリー量として報知する請求項１記載の炊飯器。
【請求項３】
前記重量検知手段により、炊飯後の調理物を有する前記内鍋の総重量Ｗ０を検知し、また、前記内鍋に掛る荷重Ｗ２を検知してＷ２−Ｗ０が正であるときは前記内鍋から調理物が取り出されたとして前記内鍋の重量Ｗ１を検知する請求項２記載の炊飯器。
【請求項４】
前記表示部に、前記摂取カロリー量を数字表示する請求項１〜３のいずれかの請求項に記載の炊飯器。
【請求項５】
前記表示部は、通常は時刻または炊飯工程終了までの残時間を数字表示し、前記蓋体を開放して前記内鍋に掛る荷重Ｗ２を検知してＷ２−Ｗ０であるときは前記表示部の表示内容をカロリー量に切替え、前記蓋体を閉じたときは前記表示部の表示内容を通常の状態に戻す請求項４記載の炊飯器。
【請求項６】
前記炊飯器本体に前記蓋体の開閉を検知する蓋体開閉検知部を設け、該蓋体開閉検知部が前記蓋体が開放されていることを検知している間は、前記摂取カロリー量が報知される請求項１〜５のいずれかの請求項に記載の炊飯器。
【請求項７】
前記炊飯器本体にスピーカを設け、前記摂取カロリー量を前記スピーカにより音声報知し、又は前記スピーカにより音声報知すると共に、前記表示部に数字表示する請求項１〜３及び６のいずれかの請求項に記載の炊飯器。
【請求項８】
前記表示部にインジケータを設け、前記摂取カロリー量を該インジケータによりアナログ的に報知し、又は前記表示部に数字表示すると共にインジケータによりアナログ的に報知する請求項１〜３及び６のいずれかの請求項に記載の炊飯器。
【請求項９】
前記制御部に、各種の調理物の単位重量当りのエネルギー量をあらかじめ記憶させておく請求項１〜８のいずれかの請求項に記載の炊飯器。
【発明の詳細な説明】
【技術分野】
【０００１】
本発明は、炊飯器に係り、より詳しくは、消費したご飯のエネルギー量（カロリー）を検知し報知する手段を備えた炊飯器に関するものである。
【背景技術】
【０００２】
最近は消費者の高齢化がすすみ、生活習慣病から糖尿病などに移向するリスクが高まっている。糖尿病などに罹患すると一日の摂取カロリーが制限されるため、消費者は健康意識が高くなり、また、ダイエット志向の傾向も強いことから、摂取カロリーを気にする消費者が増加している。このようなことから、ご飯を摂取する際に摂取カロリーを容易に認知することのできる炊飯器が求められている。【０００３】
このような、ご飯を摂取する際に摂取カロリーを認知することのできる炊飯器に、鍋内の調理物の総重量を検知する重量検知手段と、この重量検知手段の出力信号により調理物の重量を算出し、重量の変化量に単位重量当たりの調理物のエネルギー量を乗じて演算する制御部と、この制御部が演算した結果をカロリー又はキロカロリーという単位を付して表示する表示部とからなるものがある（例えば、特許文献１参照）。
【先行技術文献】
【特許文献】
【０００４】
【特許文献１】特開２００６−８１６４１号公報（第３、４頁、図１、２）
【発明の概要】
【発明が解決しようとする課題】
【０００５】
特許文献１の炊飯器は、摂取する調理物のエネルギー量を表示させるためには、使用者は専用の操作ボタンを操作しなければならない。しかし、通常、ご飯を茶碗に盛り付ける際は、一方の手に茶碗、他方の手にしゃもじを持っているため両手がふさがっているので、どちらかを一旦置いてから操作ボタンを操作しなければならず、操作が面倒である。【０００６】
また、専用の操作ボタンを操作しなければ消費エネルギー量の表示ができないため、ご飯の盛り付けが終ってから表示されることになり、エネルギー量を見ながらご飯の盛り付け量を調整できないという問題点があった。
さらに、炊飯器の本来的機能とは関係のない消費エネルギー量を表示するための専用の操作ボタンを設けなければならないので、コストアップになるという問題点もあった。【０００７】
本発明は、上記の課題を解決するためになされたもので、専用の操作ボタンを設ける必要がなく、使用者がご飯を茶碗に盛り付けながら、摂取するご飯のエネルギー量（カロリー）を認知することのできる炊飯器を提供することを目的としたものである。
【課題を解決するための手段】
【０００８】
本発明に係る炊飯器は、調理物が入れられる内鍋と、上面が開口され前記内鍋が着脱自在に収容される内鍋収容部、前記内鍋の加熱手段、該加熱手段を制御する制御部及び表示部を有する炊飯器本体と、該炊飯器本体の開口部を開閉する蓋体とを備え、
前記炊飯器本体に前記内鍋の重量を検知する重量検知手段を設け、該重量検知手段により前記内鍋の重量変化を検出し、前記制御部により前記重量変化に対応したエネルギー量を演算し、演算結果を摂取カロリー量として自動的に報知するようにしたものである。
【発明の効果】
【０００９】
本発明によれば、使用者が内鍋から米飯を取り出す（茶碗に盛り付ける）と、取り出した米飯のエネルギー量が摂取カロリー量として自動的に報知されるので、従来のようにその都度専用の操作ボタンを操作する煩わしさがなく、使用者は摂取カロリー量を容易に認識することができ、これにより健康意識が向上し、ひいてはカロリー摂取量の過多を抑制することができる。
【図面の簡単な説明】
【００１０】
【図１】本発明の実施の形態１に係る炊飯器の縦断面図である。
【図２】図１の操作部の正面図である。
【図３】実施の形態１の操作部の作用説明図である。
【図４】本発明の実施の形態３に係る炊飯器の操作部の説明図である。
【発明を実施するための形態】
【００１１】
［実施の形態１］
本発明の実施の形態１に係る炊飯器を説明するための図１において、１は上面が開口されたほぼ有底筒状の炊飯器本体、３０は炊飯器本体１の後部側（図の右側）に設けられたヒンジ３１を軸に、炊飯器本体１の上面開口部を開閉自在に覆う蓋体である。
【００１２】
炊飯器本体１の内側上部には筒状の内鍋支持ケース２が設置されており、内鍋支持ケース２の下部には、中央部に開口部３ａを有するほぼ深皿状のコイル台３が配設されて、内鍋支持ケース２とコイル台３とにより内鍋収容部５が形成されている。６はコイル台３の底部の下面とコーナ部の外面に設けられた加熱手段である誘導加熱コイルである。
【００１３】
７はコイル台３の中央部の下部において炊飯器本体１の底部に設けられた基台である。８は基台７上に設置され、内鍋収容部５への後述の内鍋４０の収容の有無を検知する内鍋検知装置で、この内鍋検知装置８には、絶縁物からなり、上部にコイル台３の底部に設けた開口部３ａから内鍋収容部５内に突出する内鍋検知体１２を有するセンサ台１１が一体に設けられている。１３はセンサ台１１と一体に設けられたロードセルで、重量検出素子である例えば抵抗ひずみゲージを内蔵しており、その抵抗変化を電気信号として制御部１６に送る。そして、これらセンサ台１１、内鍋検知体１２及びロードセル１３により重量検知手段１０を構成している。
【００１４】
１５は炊飯器本体１内の前面側に設けられた前面パネルで、背面側にはマイクロコンピュータ等が搭載された回路基板からなり、誘導加熱コイル６に交番磁界を発生させる電流などを制御する制御部１６が設置され、この制御部１６は内鍋収容部５の外壁に取付けられている。１７は制御部１６を冷却するための送風機である。
【００１５】
１８は炊飯器本体１の底部に設置され、制御部１６の回路基板に接続された音声報知手段であるスピーカである。なお、このスピーカ１８は他の場所に設置してもよく、省略してもよい。１９は制御部１６の上部に設けられて、蓋体３０の開閉を検知する蓋体開閉検知部で、その検知信号は制御部１６へ送られる。
２０は炊飯器本体１の前面側上部に設けられた操作部で、図２に示すように、炊飯スタートキー２１、切・保温キー２２、予約タイマーキー２３、メニューキー２４などが設けられており、中央部には例えば液晶からなり、現在時刻や炊飯工程終了までの残時間等が数字表示され、また、後述の米飯の摂取カロリー量が数字表示される報知手段である表示部２５が設けられている。
【００１６】
４０はステンレスや鉄などの磁性材料からなる有底筒状の内鍋で、米４３や水４４などの調理物４２が入れられて、炊飯器本体１の内鍋収容部５内に出し入れ自在に収容され、上端部外周に設けたフランジ４１が内鍋支持ケース２の上端部に支持され、その底部及び周壁が内鍋収容部５の内壁との間に若干のすき間を介して保持される。
【００１７】
次に、上記のように構成した本実施の形態に係る炊飯器の作用について説明する。
先ず、内鍋４０に米４３（例えば、白米）と水４４からなる所定量の調理物４２を入れ、内鍋収容部５に収容して蓋体３０を閉じる。このとき、蓋体開閉検知部１９は蓋体３０が閉じられたことを検知し、その検知信号を制御部１６へ送る。また、内鍋収容部５に内鍋４０が収容されたことにより重量検知手段１０が圧下され、内鍋検知装置８により内鍋４０の収容が確認される。このとき、表示部２５には通常現在時刻が表示されている。
【００１８】
この状態で操作部２０の炊飯スタートキー２１を操作すると、制御部１６によって制御された高周波電流が誘導加熱コイル６に供給されて交番磁界が発生し、内鍋４０を誘導加熱して調理物４２の炊飯が開始される。そして、予熱工程、炊飯工程、むらし工程を経て炊飯が終了し、保温工程に移行する（以下、炊き上がった調理物４２を米飯４５という）。
このとき、調理物４２の炊き上がった状態から重量検知手段１０により米飯４５を含む内鍋４０の総重量Ｗ０が検知され、その検知信号は制御部１６へ送られる。
【００１９】
次に、蓋体３０を開放し（蓋体開閉検知部１９は、蓋体３０の開放を検知しその検知信号を制御部１６へ送る）、米飯４５を茶碗に盛り付けると、その際の荷重Ｗ２が重量検知手段１０により検知され、Ｗ２−Ｗ０が正であれば、制御部１６は所定量の米飯４５が内鍋４０から取り出されると判断して表示部２５の表示内容を米飯４５の摂取カロリー量に切替える。そして、米飯４５が内鍋４０から取り出された（茶碗に盛り付けられた）重量、換言すれば内鍋４０の残りの米飯４５を含む重量Ｗ１が重量検知手段１０により検知される。
【００２０】
制御部１６は、米飯４５の取り出し量Ｗ、すなわちＷ０−Ｗ１に米飯４５の単位重量当りエネルギー量ｅ（ｃａｌ／ｇ）を乗じて米飯４５の取り出し量に基づくエネルギー量Ｅ１＝ｅ×Ｗを演算して摂取カロリー量（ｋｃａｌ）を算出し、蓋体開閉検知部１９が蓋体３０が閉じられたことを検知するまで、図３に示すように、操作部２０の表示部２５に摂取カロリー量（ｋｃａｌ）を自動的に数字表示して報知する。図には摂取カロリー量が１７８ｋｃａｌであることを示している。なお、蓋体開閉検知部１９が設けられていない場合は、米飯４５の取り出し後所定の時間表示部２５に摂取カロリー量を数字表示する。
【００２１】
上記のように、米飯４５を茶碗に盛りつける際の荷重Ｗ１を重量検知手段１０により検知する理由を説明する。まず、本発明においては、専用の操作ボタンを必要としないため、単に蓋体３０を開放しただけでは米飯４５が内鍋４０から移動するかどうかわからず、蓋体３０を開放した時点では内鍋４０の総重量Ｗ０は検知されているが、表示部２５には依然として時刻表示等の通常の表示がなされている。
【００２２】
この状態で内鍋４０内にしゃもじを入れて内鍋４０に荷重がかかると、重量検知手段１０がこの荷重Ｗ２を検知してその検知結果を制御部１６へ送る。制御部１６は、Ｗ２−Ｗ０が正であれば内鍋４０から米飯４５が移動されると判断し、表示部２５の表示内容を通常の表示から摂取カロリー量の表示に切替える。
【００２３】
そして、前述のように、内鍋４０から取り出された米飯４５の重量Ｗから摂取カロリー量を算出し、この摂取カロリー量を蓋体３０が閉じられるまで表示部２５に数字表示し報知する。蓋体３０が閉じられると、表示部２５への表示内容は、時刻表示等の通常の表示に戻る。
【００２４】
次に、同じ内鍋４０から２度、３度と米飯４５が取り出される場合は、１度目の米飯４５を取り出したあとの米飯４５を含む内鍋４０の総重量Ｗ１を制御部１６に記憶させておく。そして、蓋体３０が開放されて２度目の米飯４５を取り出す際の内鍋４０に掛かる荷重Ｗ２を検知し、Ｗ２−Ｗ１が正であれば再び米飯４５が取り出されると判断され、表示部２５の表示内容が摂取カロリー量に切替えられ、前述の要領で米飯４５の取り出し量Ｗに基く摂取カロリー量が計算され、蓋体３０が開放されている間、表示部２５に数字表示される。３度目以降の米飯４５の取り出しの際の作用もこれに準じる。
【００２５】
本実施の形態によれば、使用者が内鍋４０から米飯４５を取り出す（茶碗に盛り付ける）と、取り出した米飯４５のエネルギー量Ｅ１が摂取カロリー（ｋｃａｌ）として、蓋体３０を開放している間、表示部２５に自動的に表示されるので、従来のようにその都度専用の操作ボタンを操作する煩わしさがなく、使用者は摂取カロリー量を容易に認識することができ、これにより、健康意識が向上し、ひいてはカロリー摂取量の過多を抑制することができる。
【００２６】
［実施の形態２］
本実施の形態は、実施の形態１の炊飯器において、内鍋４０から取出された米飯４５の摂取カロリー（ｋｃａｌ）を、報知手段であるスピーカ１８により例えば「○○カロリーです」と音声で報知するようにしたものである。
本実施の形態においては、内鍋４０から取り出した米飯４５の摂取カロリー量を表示部２５に数字表示する必要がないので表示部２５の表示内容を変更する必要がない。そこで米飯４５を茶碗に盛りつける際の荷重Ｗ１の検知で音声報知するか否かを判断に使うようにしている。実施の形態１の場合と同様、内鍋４０内にしゃもじを入れて内鍋４０に荷重がかかると、重量検知手段１０がこの荷重Ｗ２を検知してその検知結果を制御部１６へ送る。制御部１６は、Ｗ２−Ｗ０が正であれば内鍋４０から米飯４５が移動されると判断し、音声報知をすると判断する。そして、米飯４５が内鍋４０から取り出されたのちの米飯４５を含む内鍋４０の重量Ｗ２を重量検知手段１０により検知し、Ｗ０−Ｗ２により米飯４５の取出し量を算出すればよい。
これに基く摂取カロリー量（ｋｃａｌ）の算出の手順は、実施の形態１の場合と同様で、算出結果を音声に変換し、蓋体３０が開放されている間摂取カロリーを音声により報知する。
【００２７】
本実施の形態によれば、炊飯器の使用者は表示部２５の表示を注視する必要がなく、米飯４５の取り出し（茶碗への盛りつけ）に集中することができる。なお、本実施の形態においても、スピーカ１８により音声報知すると共に、実施の形態１により取り出した米飯４５の摂取カロリー量を表示部２５に数字表示するようにしてもよい。
【００２８】
［実施の形態３］
図４は本発明の実施の形態３に係る炊飯器の操作部の説明図である。なお、実施の形態１と同じ部分には、これと同じ符号を付してある。
実施の形態１では、米飯４５の摂取カロリー量（ｋｃａｌ）を表示部２５に数値で表示する場合を示したが、本実施の形態は、摂取カロリー量を表示部２５に複数のセグメントからなるインジケータ２６で表示するようにしたものである。
【００２９】
すなわち、本実施の形態においては、表示部２５内の下部に、報知手段として液晶からなる複数のセグメントを横方向に配置してインジケータ２６を形成し、その一方の側（図の左側）に例えば「少なめ」、他方の側に例えば「多め」と表示したものである。
本実施の形態においても、実際の形態２の場合と同様に米飯４５を茶碗に盛り付ける際に内鍋４０に掛る荷重の検知を省略することができ、実施の形態２の場合と同様の手順により、取り出した米飯４５の摂取カロリー量（ｋｃａｌ）を算出し、その結果を蓋体３０が開放されている間、インジケータ２６によりアナログ的に表示報知する。
【００３０】
本実施の形態によれば、炊飯器の使用者はインジケータ２６により、取り出した米飯４５の摂取カロリー量を直感的に理解することができるので、健康意識をより向上することができる。なお、本実施の形態においても、実施の形態１により取り出した米飯４５の摂取カロリー量を表示部２５に数字表示すると共に、インジケータ２６によりアナログ的に表示報知するようにしてもよい。
【００３１】
上記の説明では、一例として液晶などのセグメントで摂取カロリー量を表示する場合について説明したが、液晶などのセグメント表示ではなく、例えば複数の発光素子でインジケータを構成してもよく、セグメント表示の場合と同様に、摂取カロリー量を直感的に理解することができ、健康意識を向上することができる。
【００３２】
上記の各実施の形態においては、米（白米）４３と水４４からなる調理物４２（米飯４５）を炊飯する場合について説明したが、白米以外の調理物（例えば、玄米、赤飯など）の単位重量当りのエネルギー数値をあらかじめ制御部１６に記憶させておけば、白米の場合と同様に、摂取カロリー量の正確な情報を容易に確認することができる。
【符号の説明】
【００３３】
１  炊飯器本体、２  内鍋支持ケース、３  コイル台、３ａ  開口部、５  内鍋収容部、６  誘導加熱コイル、７  基台、８  内鍋検知装置、１０  重量検知手段、１１  センサ台、１２  内鍋検知体、１３  ロードセル、１５  前面パネル、１６  制御部、１７  送風機、１８  スピーカ、１９  蓋体開閉検知部、２０  操作部、２５  表示部、２６  インジケータ、３０  蓋体、３１  ヒンジ、４０  内鍋、４１  フランジ、４２  調理物、４３  米、４４  水。
【図１】
2012150648.tif 000003
【図２】
2012150648.tif 000004
【図３】
2012150648.tif 000005
【図４】
2012150648.tif 000006
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
調理物が入れられる内鍋と、上面が開口され前記内鍋が着脱自在に収容される内鍋収容部、前記内鍋の加熱手段、該加熱手段を制御する制御部及び表示部を有する炊飯器本体と、該炊飯器本体の開口部を開閉する蓋体とを備え、
前記炊飯器本体に前記内鍋の重量を検知する重量検知手段を設け、該重量検知手段により前記内鍋の重量変化を検出し、前記制御部により前記重量変化に対応したエネルギー量を演算し、演算結果を摂取カロリー量として自動的に報知する炊飯器。
【請求項２】
前記重量検知手段により、炊飯後の調理物を有する前記内鍋の総重量Ｗ０を検知し、また前記内鍋から調理物が取り出されたあとの内鍋の重量Ｗ１を検知し、Ｗ０−Ｗ１によって求められる重量変化量に単位重量当りのエネルギー量を乗じてその結果を摂取カロリー量として報知する請求項１記載の炊飯器。
【請求項３】
前記重量検知手段により、炊飯後の調理物を有する前記内鍋の総重量Ｗ０を検知し、また、前記内鍋に掛る荷重Ｗ２を検知してＷ２−Ｗ０が正であるときは前記内鍋から調理物が取り出されたとして前記内鍋の重量Ｗ１を検知する請求項２記載の炊飯器。
【請求項４】
前記表示部に、前記摂取カロリー量を数字表示する請求項１〜３のいずれかの請求項に記載の炊飯器。
【請求項５】
前記表示部は、通常は時刻または炊飯工程終了までの残時間を数字表示し、前記蓋体を開放して前記内鍋に掛る荷重Ｗ２を検知してＷ２−Ｗ０が正であるときは前記表示部の表示内容をカロリー量に切替え、前記蓋体を閉じたときは前記表示部の表示内容を通常の状態に戻す請求項４記載の炊飯器。
【請求項６】
前記炊飯器本体に前記蓋体の開閉を検知する蓋体開閉検知部を設け、該蓋体開閉検知部が前記蓋体が開放されていることを検知している間は、前記摂取カロリー量が報知される請求項１〜５のいずれかの請求項に記載の炊飯器。
【請求項７】
前記炊飯器本体にスピーカを設け、前記摂取カロリー量を前記スピーカにより音声報知し、又は前記スピーカにより音声報知すると共に、前記表示部に数字表示する請求項１〜３及び６のいずれかの請求項に記載の炊飯器。
【請求項８】
前記表示部にインジケータを設け、前記摂取カロリー量を該インジケータによりアナログ的に報知し、又は前記表示部に数字表示すると共にインジケータによりアナログ的に報知する請求項１〜３及び６のいずれかの請求項に記載の炊飯器。
【請求項９】
前記制御部に、各種の調理物の単位重量当りのエネルギー量をあらかじめ記憶させておく請求項１〜８のいずれかの請求項に記載の炊飯器。
【国際調査報告】
2012150648.tif 000007
2012150648.tif 000008
2012150648.tif 000009
2012150648.tif 000010